【手続補正書】
【提出日】平成18年9月15日(2006.9.15)
【手続補正１】
【補正対象書類名】明細書
【補正対象項目名】特許請求の範囲
【補正方法】変更
【補正の内容】
【特許請求の範囲】
【請求項１】  結紮バンド分配器であって、
複数の第１結紮バンドを保持できる実質的に円筒状の第１支持面を備え、該第１支持面は、実質的に軸線方向に貫通し延びる第１チャネルを有しており、複数の第１スロットが前記第１支持面の少なくとも一部を通って前記第１支持面の遠位端から遠ざかるように延びており、
複数の第１当接部を有するプル・ラインを備え、前記第１当接部の各々が前記プル・ラインの直径より大きな直径を有し、前記第１当接部がその間に複数の第１区分を定め、前記プル・ラインが前記第１スロットを通じて延び、前記第１当接部の各々が前記第１スロットの内の対応する１つとの接触によって前記第１チャネル内に保持され、前記第１区分の各々が前記第１結紮バンドの内の対応する１つの回りにループを形成する、
ことを特徴とする結紮バンド分配器。
【請求項２】  前記第１支持面を内視鏡に結合する、前記第１支持面の近位端に配置されたアダプタを更に備えることを特徴とする、請求項１に記載の結紮バンド分配器。
【請求項３】  前記第１支持面及び前記第１結紮バンドを取り囲む実質的に円筒状ケーシングを更に備え、該ケーシングの近位部分が前記第１支持面の近位部分と連結されていることを特徴とする、請求項１に記載の結紮バンド分配器。
【請求項４】  前記ケーシングが当該ケーシングの遠位部分に形成されたアウトレット・ホールと、前記ケーシングの近位部分に形成されたインレット・ホールとを含み、前記プル・ラインが前記アウトレット・ホールを通って前記ケーシングを出て、前記インレット・ホールを通って前記ケーシングに入ることを特徴とする、請求項３に記載の結紮バンド分配器。
【請求項５】  複数の軸線方向に走る第１の溝が前記支持面の外面に形成されていることを特徴とする、請求項１に記載の結紮バンド分配器。
【請求項６】  前記第１スロットの各々が前記第１溝の内の対応する１つの中央線に沿って配置されていることを特徴とする、請求項５に記載の結紮バンド分配器。
【請求項７】  前記第１支持面が該第１支持面の内部面上に配置されたガイド・リングを更に含み、前記プル・ラインが前記ガイド・リングを通されていることを特徴とする、請求項１に記載の結紮バンド分配器。
【請求項８】  前記第１支持面と実質的に同軸状の実質的に円筒状の第２支持面を更に備え、該第２支持面が軸線方向に貫通し延びる第２チャネルを有すると共に、その上に複数の第２結紮バンドを保持しており、複数の第２スロットが前記第２支持面の近位端から遠ざかるように前記第２支持面の少なくとも一部を通って延びており、前記プル・ラインがその間に複数の第２区分を定める複数の第２当接部を含み、前記プル・ラインが前記第２スロットを通って延びて、前記第２当接部の各々が前記第２スロットの内の対応する１つとの接触によって前記第２チャネル内に保持されており、前記第２区分が前記結紮バンドの内の対応する１つの回りにループを形成していることを特徴とする、請求項１に記載の結紮バンド分配器。
【請求項９】  前記第２支持面が前記第１支持面内に配置されていることを特徴とする、請求項８に記載の結紮バンド分配器。
【請求項１０】  前記第１支持面と前記第２支持面が相互に結合され、これら第１支持面及び第２支持面を内視鏡に結合するために、前記第１支持面及び前記第２支持面の内の少なくとも一方における近位部分と結合されたアダプタを更に備えることを特徴とする、請求項９に記載の結紮バンド分配器。
【請求項１１】  前記第１支持面及び前記第１結紮バンドを取り囲んでいる実質的に円筒状ケーシングを更に備え、該ケーシングの近位部分が前記第１支持面の近位部分と連結されていることを特徴とする、請求項９に記載の結紮バンド分配器。
【請求項１２】  前記ケーシングが該ケーシングの遠位部分に形成されたアウトレット・ホールと、前記ケーシングの前記近位部分に形成されたインレット・ホールとを含み、前記プル・ラインが前記アウトレット・ホールを通って前記ケーシングを出て、前記インレット・ホールを通って前記ケーシングに入ることを特徴とする、請求項１１に記載の結紮バンド分配器。
【請求項１３】  複数の軸線方向に走る第１溝が前記第１支持面の外面における少なくとも一部を横切るように延びており、複数の軸線方向に走る第２溝が前記第２支持面の外面における少なくとも一部を横切るように延びることを特徴とする、請求項９に記載の結紮バンド分配器。
【請求項１４】  前記第１スロットの各々が前記第１溝の内の対応する１つにおける中央線に沿って配置されており、前記第２スロットの各々が前記第２溝の内の対応する１つにおける中央線に沿って配置されていることを特徴とする、請求項１３に記載の結紮バンド分配器。
【請求項１５】  前記第２支持面が該第２支持面の内部面上に配置された第２ガイド・リングを更に含み、前記プル・ラインが前記第２ガイド・リングを通されていることを特徴とする、請求項９に記載の結紮バンド分配器。
【請求項１６】  結紮バンド分配器であって、
複数の第１結紮バンドをその上に保持できる実質的に円筒状の第１支持面を備え、該第１支持面は、実質的に軸線方向に貫通し延びる実質的に円筒状の第１チャネルを有しており、前記第１支持面は、前記第１支持面の少なくとも一部を通って遠位端から遠ざかるように延びる複数の第１スロットを有しており、
複数の第１結び目を有するプル・ラインを備え、前記複数の第１結び目が前記プル・ラインの間を複数の第１区分を定めており、前記プル・ラインは、前記複数の第１結び目の各々が前記複数の第１スロットの内の対応する１つの後方に保持されるように配列されており、
前記第１区分の各々が前記第１結紮バンドの内の対応する１つの回りにループを形成し、第１スロットの対を通ってループを形成し、そして、前記第１結紮バンドの内の前記対応する１つの回りで再度ループを形成する、
ことを特徴とする結紮バンド分配器。
【請求項１７】  前記第１支持面を内視鏡に結合するために、前記支持面の近位端と結合されたアダプタを更に備えることを特徴とする、請求項１６に記載の結紮バンド分配器。
【請求項１８】  前記第１支持面及び前記第１結紮バンドを取り囲んでいる実質的に円筒状ケーシングを更に備え、前記ケーシングの近位部分が前記第１支持面の近位部分と連結されていることを特徴とする、請求項１６に記載の結紮バンド分配器。
【請求項１９】  前記ケーシングが当該ケーシングの遠位部分に形成されたアウトレット・ホールと、前記ケーシングの前記近位部分に形成されたインレット・ホールとを含み、前記プル・ラインが前記アウトレット・ホールを通って前記ケーシングを出て、前記インレット・ホールを通って前記ケーシングに入ることを特徴とする、請求項１８に記載の結紮バンド分配器。
【請求項２０】  複数の軸線方向に走る溝が前記第１支持面の外面に形成されていることを特徴とする、請求項１６に記載の結紮バンド分配器。
【請求項２１】  前記第１スロットの各々が前記第１溝の内の対応する１つの中央線に沿って配置されていることを特徴とする、請求項２０に記載の結紮バンド分配器。
【請求項２２】  前記第１支持面が該第１支持面の内部面上に配置されたガイド・リングを更に含み、前記プル・ラインが前記ガイド・リングを通されていることを特徴とする、請求項１６に記載の結紮バンド分配器。
【請求項２３】  前記第１支持面と実質的に同軸状の実質的に円筒状の第２支持面を更に備え、当該第２支持面がその上に複数の第２結紮バンドを保持すると共に、当該第２支持面の遠位端から所定距離を遠ざかるように延びる複数の第２スロットを含み、前記プル・ラインがその間に複数の第２区分を定める複数の第２結び目を含み、前記プル・ラインが前記第２スロットを通って延びて、前記第２結び目の各々が前記第２スロットの内の対応する１つとの接触によって前記第２チャネル内に保持されており、前記第２区分の各々が前記第２結紮バンドの内の対応する１つの回りにループを形成していることを特徴とする、請求項１６に記載の結紮バンド分配器。
【請求項２４】  前記第１区分が前記第１支持面回りに両回転方向に連続して巻回されていることを特徴とする、請求項１６に記載の結紮バンド分配器。
【請求項２５】  前記第１区分の各々がループを形成すると共に、前記第１支持面の外面に沿って近位方向に配列されていることを特徴とする、請求項１６に記載の結紮バンド分配器。
【請求項２６】  前記第１区分の少なくとも１つが前記第１結紮バンドの最も近位の１つの下方に押し込まれていることを特徴とする、請求項２５に記載の結紮バンド分配器。
【請求項２７】  前記第１結び目の内の少なくとも２つが前記第１結紮バンドの各々の近位方向に保持されていることを特徴とする、請求項１６に記載の結紮バンド分配器。
【請求項２８】  結紮バンド分配器であって、
実質的に軸線方向に貫通し延びる実質的に円筒状チャネルを有する実質的に円筒状支持面と、
前記支持面上に支持された複数の結紮バンドと、
複数の結び目を有する単一プル・ラインとを備え、前記結び目の各々が前記結紮バンドの内の対応する１つの近位方向に保持されて、前記プル・ラインが前記支持面から結紮バンドを引き出す際、１つのみの結び目が前記結紮バンドの内の最も遠位の１つを前記支持面の遠位のエッジから押し出し、
前記プル・ラインが前記結び目の内の第１のものから前記支持面回りを次の最も遠位のバンドの下方に通過する前に所定距離だけ延び、そこで前記結び目の内の第２のものが前記次の最も遠位のバンドの近位の面に対して着座しており、前記所定距離が前記第１結び目及び前記第２結び目の間に所望の弛み量を提供するように選択されて、前記第１結び目の遠位方向への移動に及んで、前記最も遠位の結紮バンドが前記支持面の前記遠位端から押し出されるまで前記第２結び目が移動しない、
ことを特徴とする結紮バンド分配器。
【請求項２９】  複数の二次的な結び目が前記第１結び目と前記第２結び目との間の前記プル・ラインに沿って配置されていることを特徴とする、請求項２８に記載の結紮バンド分配器。